(57)【要約】【課題】  従来知られている技術では、仰臥もしくは左右いずれかの横臥状態で、簡単に表示装置を適視位置に置くことができなかった。【解決手段】  上述した従来技術の問題点を解決するために、本発明の表示装置の保持装置は、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させた。【選択図】  図１
2005195711.tif 000002
【特許請求の範囲】
【請求項１】
外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させた表示装置の支持装置
【請求項２】
平行に置かれた２本の自由に回転可能な円柱に接し、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させた表示装置の支持装置
【請求項３】
平行に置かれた２本の自由に回転可能な円柱に接し、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させ、また前記２本の自由に回転可能な円柱を支持する支持機構に対し前記回転体が回転可能となるような電気動力機構を有する表示装置の支持装置
【請求項４】
平行に置かれた２本の自由に回転可能な円柱に接し、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させ、また前記２本の自由に回転可能な円柱を支持する支持機構と、支持台を有し、支持機構と支持台の間に回転機構を設け、前記回転体の回転軸と前記回転機構の回転軸が直交する表示装置の支持装置
【発明の詳細な説明】
【技術分野】
【０００１】  本発明は仰臥もしくは横臥した時に、見やすい表示装置に関する。
【背景技術】
【０００２】  仰臥もしくは横臥したときにテレビを見やすくする装置としては、ベッドの左右いずれか片側にガイドをおき、このガイドにスライドするブラケットを設け、このブラケットに直交する２つの調整可能な回転軸を設け、薄型テレビを吊り下げることにより、視聴者の好みに応じて薄型テレビの位置や方向を変更することができる技術が開示されている。（特許文献１参照）
またベッドの近傍に設けられた３次元的に位置調節可能な可動アーム手段に表示装置やカメラを装着した技術が開示されている。（特許文献２参照）
さらに支柱に取り付けられた昇降および回転可能なブロックとパントグラフを用いて液晶テレビを取り付け、液晶テレビの位置を自由に可変とする技術が開示されている。（特許文献３参照）
【特許文献１】特許２９１４５６８号公報
【特許文献２】特開平０９−２９４７８４号公報
【特許文献３】特開平１１−１５１１２４号公報
【発明の開示】
【発明が解決しようとする課題】
【０００３】  しかしながら従来から知られている技術には以下のような課題があった。
すなわち、特許文献１においてはベッドの片側に薄型テレビがあり、仰臥もしくは横臥でもテレビ側を向いた場合は視聴可能であるが、テレビと反対側に横臥した場合、視聴することはできなくなるという不都合があった。
また、特許文献２や特許文献３によって、仰臥及び左右どちらの横臥状態でのテレビ視聴も可能となったが、視聴者が液晶テレビを３次元的に適切な位置に置くために細かい調整が必要であった。
とくに視聴者の腕機能に障害がある場合は、前記の既知の技術では液晶テレビの向きや位置を適視位置に置くことはほとんど不可能であり、液晶テレビを見つづけると、寝返りを打たないためいわゆる床ずれと呼ばれる症状を起こしやすく、床ずれを避けるために横臥の方向を変えた場合、液晶テレビの向きや位置を第３者に変えてもらう必要があった。【０００４】  本発明は上述した従来技術の問題点に鑑みてなされ、仰臥もしくは左右いずれの横臥状態でも、簡単に表示装置の適視位置を得ることを目的とする。
【課題を解決するための手段】
【０００５】  上述した従来技術の問題点を解決し、上述した目的を達成するために、本発明のうち請求項１に記載した発明の表示装置の保持装置は、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させたことを特徴とする。【０００６】  また前述した従来技術の問題点を解決し、前述した目的を達成するために、本発明のうち請求項２に記載した発明の表示装置の保持装置は、平行に置かれた２本の自由に回転可能な円柱に接し、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させたことを特徴とする。【０００７】  さらに前述した従来技術の問題点を解決し、前述した目的を達成するために、本発明のうち請求項３に記載した発明の表示装置の保持装置は、平行に置かれた２本の自由に回転可能な円柱に接し、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させ、また前記２本の自由に回転可能な円柱を支持する支持機構に対し前記回転体が回転可能となるような電気動力機構を有することを特徴とする。【０００８】  加えて前述した従来技術の問題点を解決し、前述した目的を達成するために、本発明のうち請求項４に記載した発明の表示装置の保持装置は、平行に置かれた２本の自由に回転可能な円柱に接し、外周が円柱面もしくは円柱面の一部を構成する回転体と、回転体に装着された表示装置を保持および動作させる部材と、表示装置とを有し、回転体と、表示装置を保持および動作させる部材と、表示装置のそれぞれが生成する回転体回転軸周りの重力回転モーメントの総和を可及的に減少させ、また前記２本の自由に回転可能な円柱を支持する支持機構と、支持台を有し、支持機構と支持台の間に回転機構を設け、前記回転体の回転軸と前記回転機構の回転軸が直交することを特徴とする。
【発明の効果】
【０００９】  第１の請求項に記載した発明に拠れば、本発明の表示装置の保持装置を利用する視聴者はわずかな力で、かつ単純な位置調整で、仰臥ばかりでなく左右どちらの横臥に対しても表示装置を視聴者の適視位置に置くことが可能となる。【００１０】  また第２の請求項に記載した発明に拠れば、本発明の表示装置の保持装置を利用する視聴者はわずかな力で、かつ単純な位置調整で、仰臥ばかりでなく左右どちらの横臥に対しても表示装置を視聴者の適視位置に置くことが可能となり、また表示装置の保持装置を設置する面積を小さくできる。【００１１】  さらに、第３の請求項に記載した発明に拠れば、本発明の表示装置の保持装置を利用する視聴者は、微弱な力や容易な操作あるいは意図的な操作なしに、仰臥ばかりでなく左右どちらの横臥に対しても表示装置を視聴者の適視位置に置くことが可能となる。【００１２】  加えて、第４の請求項に記載した発明に拠れば、本発明の表示装置の保持装置を利用する視聴者はわずかな力で、かつ単純な位置調整で、仰臥ばかりでなく左右どちらの横臥に対しても表示装置を視聴者の適視位置に置くことが可能となり、また視聴者が視聴の前に仰臥もしくは横臥に入るとき、もしくは視聴者が視聴のあと仰臥もしくは横臥から抜けるとき、表示装置および表示装置の保持装置をその動作を妨げない位置に容易に置くことが可能となる。
【発明を実施するための最良の形態】
【００１３】  以下本発明の実施形態を、図面を用いて詳細に説明する。
第１の実施形態
当該実施形態は請求項１に記載の発明に対応した実施形態であり、図１は本実施形態における表示装置の保持装置の説明図である。【００１４】  図１において表示装置１０は固定手段１１を介して、フレーム１２に装着されている。
また前記フレームと表示装置用周辺装置１４は回転体１５に装着されており、表示装置と表示装置用周辺装置の間は接続ケーブル１３にて電気的に接続されている。
ここで、固定手段とフレームは特許請求の範囲で述べている表示装置を保持する部材の一形態であり、接続ケーブルと表示装置用周辺装置は特許請求の範囲で述べている表示装置を動作させる部材の一形態である。
さらに、表示装置用周辺装置からは電源供給用配線材１６と信号供給用配線材１７が回転体の回転軸近傍に設けられた穴１８から引き出されている。
なお、本実施形態では固定手段１１はボールジョイント型を用いており、表示装置をフレームに対して自由な角度に固定することが可能となっている。
また回転体は床面１９上に置かれており、回転体と床面１９の材料の弾性係数は大きいものとする。【００１５】  本実施形態においては、回転体１５はたとえば鉄のように安価で比較的比重の大きい金属を用いており、また図示したように円柱の一部を取り去ったような形態をしている。
ここで表示装置１０、固定手段１１、フレーム１２、接続ケーブル１３および表示装置用周辺装置１４、回転体１５のそれぞれが生成する回転体回転軸周りの重力回転モーメントの総和をできるだけ減少させるように、各部材の位置と重量を設定する。【００１６】  このように構成することにより、回転軸周りの重力回転モーメントの総和を可及的に小さくしてあり、かつ回転体と床面１９の間での弾性変形が小さいため、視聴者はごくわずかな力を表示装置やフレームに加えることで、図２に示したように表示装置を回転軸の周りに回転させ、床面１９上を移動させることが可能となる。
また表示装置が最上部にあるとき、視聴者１０１は図１に示したように表示装置の真下に位置するように仰臥し、表示装置面が視聴者の視線とほぼ直交するように固定手段１１を用いて固定することができるため、表示装置が最上部にあるときの回転体の底部と視聴者の眉間をほぼ等しくしておくことで、表示装置は常にほぼ視聴者の方向を向くようにすることができる。【００１７】  本実施例においては、表示装置用周辺装置１４は電源供給用配線材１６としては電源コードを用い、図示しない交流電力線から電力を得て、表示装置用周辺装置内部で回路用直流電源を得ている。
また表示装置用周辺装置は、信号供給用配線材１７として同軸線を用い、図示しないアンテナからのテレビ変調高周波信号を得て、表示装置用周辺装置内のチューナーで選局・復調を行い映像信号・音声信号を得ている。
ここで得られた回路用直流電源、映像信号および音声信号は、接続ケーブル１３を経て表示装置１０に供給され、表示装置内の表示素子から映像信号に基づく画像が表示され、同様に表示装置内のスピーカーから音声信号に基づく音声が生成されるようになっている。
さらに表示装置１０としては、表示素子として液晶を用いたもの、ＥＬ（Ｅｌｅｃｔｒｏ  Ｌｕｍｉｎｅｓｃｅｎｃｅ）を用いたもの、ＦＥＤ（Ｆｉｅｌｄ  Ｅｍｉｓｓｉｏｎ  Ｄｉｓｐｌａｙ）を用いたもの等の薄型で軽量な表示装置が好ましい。【００１８】    なお本発明の応用例として
１）電源供給用配線材に直流電源を供給する方式
２）信号供給用配線材としてルーターを経由してインターネットに接続されたイーサネットケーブルを用い、表示装置用周辺装置で画像信号や音声信号を得る方式
３）電源供給用配線材を持たず電池を表示装置用周辺装置内に内蔵する方式
４）信号供給用配線材を持たずＩＥＥＥ８０２．１１方式等の無線装置で、表示装置用周辺装置が外部から画像信号や音声信号を得る方式
５）表示装置用周辺装置内部にハードディスクなどの記憶装置もしくはＤＶＤなどの記憶素子の再生装置を有し、これらの記憶装置や再生装置から画像信号や音声信号を得る方式
６）表示装置用周辺装置を持たず、表示装置のみで画像信号や音声信号を受信、再生もしくは生成する方式
７）表示装置として文字や静止画情報を表示する電子ブックを用いる方式
が考えられる。【００１９】  また、第１の実施形態の別の例として、図３に示したような構成も可能である。
本例においては、第１の実施形態の回転体１５の代わりに、２枚の円板もしくは円板の一部３０にあけられた穴３１をとおし、螺子３２で錘３３を装着する構成としている。
ここで円板および錘は安価で比重が大きく、また円板は弾性係数の大きい材料が好ましい。
本例においても、表示装置および表示装置の保持装置を構成する各部材のそれぞれが生成する、回転体回転軸周りの重力回転モーメントの総和をできるだけ減少させており、かつ回転体と床面１９の間での弾性変形が小さいため、視聴者はごくわずかな力を表示装置やフレームに加えることで、表示装置を回転軸周りに回転させることが可能となる。
なお本構成によれば、機械加工で回転体１５を製造する場合に比べ、円板は機械加工が簡便であることから、製造コストを下げることが可能である。【００２０】第１の実施形態の効果詳細
このように本発明の第１の実施形態に拠れば、視聴者はわずかな力を表示装置もしくはフレームに加えることにより、表示装置を回転軸の周りに回転させ、床面上を移動させることが可能となり、図２示すように仰臥ばかりでなく左右どちらの横臥に対しても表示装置を視聴者のほぼ正面すなわち適視位置に置くことが可能となる。
また、本装置においては表示装置を移動できる方向が回転軸周囲に１次元的に限定されており、適視位置の調整が従来例に比べてはるかに容易であり、特に身体障害者にとっては大変有用である。
さらに寝返りを打っても容易に表示装置の適視位置を変更できることから、いわゆる床ずれの防止効果も大きい利点がある。【００２１】第２の実施形態
当該実施形態は請求項２に記載の発明に対応した実施形態であり、図４は本実施形態における表示装置の保持装置の説明図である。【００２２】  図４においては、表示装置１０、固定手段１１、フレーム１２、接続ケーブル１３、表示装置用周辺装置１４および回転体１５については図１と同じであり、説明を省略する。
本実施形態では図示したように、２本の自由に回転可能な円柱４０ａおよび４０ｂを有している。
ここで自由に回転可能な円柱は、同軸であって中間部が直径が大きく、両端は直径が小さくなっており、両端はベアリング４１に挿入され、かつベアリングは支持機構４２に装着されており、回転体１５は自由に回転可能な円柱４０ａおよび４０ｂの中間部分に接している。
また、回転体１５および自由に回転可能な円柱４０ａおよび４０ｂの材料は弾性係数の大きいものを用いる。【００２３】  このように構成することにより、回転軸周りの重力回転モーメントの総和を可及的に小さくしてあり、回転体１５と自由に回転可能な円柱４０ａおよび４０ｂの間での弾性変形が小さいため、視聴者はごくわずかな力を表示装置やフレームに加えることで、図５に示したように表示装置を回転軸の周りに回転させ、図示した回転体の回転角度θを任意に設定することが可能となり、また回転体の回転軸と視聴者の眉間を同軸とすることで、表示装置が常に視聴者の正面に位置することができる。
さらに、本実施形態は回転体１５が床面１９上を移動しないので、表示装置の保持装置の設置面積を第１の実施形態に比べ減らすことが可能である。
なお、自由に回転可能な円柱の中間部の直径を両端に比べて大きくしたのは、前記自由に回転可能な円柱の弾性変形を減じて、回転体１５の回転を容易にするためであり、両端の直径を小さくしたのは内径の小さい安価なベアリング３１を用いるためである。【００２４】第２の実施形態の効果詳細
このように本発明の第２の実施形態に拠れば、視聴者はわずかな力を表示装置もしくはフレームに加えることにより、表示装置を回転軸の周りに回転させることが可能となり、仰臥ばかりでなく左右どちらの横臥に対しても表示装置を視聴者の適視位置に置くことが可能となる。
また、本装置においては回転体は回転するのみで水平方向に移動することがないので、本装置の設置面積を第１の実施形態に比べ減じることができる。【００２５】第３の実施形態・第１の例
当該実施形態は請求項３に記載の発明に対応した実施形態の第１の例であり、図６は本例における表示装置の保持装置の説明図である。【００２６】  図６においては、表示装置１０、固定手段１１、フレーム１２、接続ケーブル１３、表示装置用周辺装置１４、回転体１５、自由に回転可能な円柱４０ａおよび４０ｂおよびベアリング４１については図４と同じであり、また電源供給用配線材１６および信号供給用配線材１７については図１と同じであり説明を省略する。
本例では回転体１５にサーボモータ６０が装着され、回転体の中心軸とサーボモータの回転軸６１が同軸となるように調整されている。
また、サーボモータの回転軸に直交したピン６２は両端が約９０度曲げられ、支持機構４２の柱部６４に空けられた穴６３に挿入されている。
さらにサーボモータからはサーボモータ駆動信号線６５が回転体１５の回転軸近傍に空けられた穴１８を経由して外部に引き出されている。
ここで、サーボモータは特許請求の範囲で述べている電気動力機構の一形態である。【００２７】  このような構成で、サーボモータ駆動信号線を通して外部からサーボモータ駆動信号を与えることにより、サーボモータの回転軸６１が回転モーメント力を発生し、ピン６２が柱部６４に空けられた穴６３に固定されているため、回転体１５を回転させるモーメント力が発生する。
一方回転体１５に関しては、回転軸周りの重力回転モーメントの総和が可及的に小さくしてあり、回転体１５と自由に回転可能な円柱４０ａおよび４０ｂの間での弾性変形が小さいため、前記サーボモータの回転モーメント力により、容易に回転することができる。
従って、視聴者は図示しないサーボモータ駆動信号発生装置を用いて所望の角度を設定するサーボモータ駆動信号を発生させ、前記駆動信号をサーボモータ駆動信号線を介してサーボモータに供給することにより、表示装置を回転軸の周りに回転させ、視聴者の適視位置におくことが可能となる。【００２８】  なお前記サーボモータ駆動信号発生装置に関しては、
１）視聴者が回転型可変抵抗器等で回転角度を設定すると、それに従って回転体の回転角度θが連続的に設定される駆動信号を発生する方式
２）回転体の回転可能な角度をあらかじめ複数規定しておき、視聴者が好みの角度をスイッチ等で選択すると、選択された角度に応じた回転体の回転角度となる駆動信号を発生する方式
３）回転体の回転角度θを第１の角度θ１から第２の角度θ２に変化させる際、回転体の回転角加速度の微分値が連続するように駆動信号を生成する方式
４）視聴者が視聴者の顔面の水平に対する角度を検出する装置を有し、上記検出した角度に基づいて回転体の回転角度θを制御する駆動信号を発生する方式
なども本発明の応用例として考えられる。【００２９】第３の実施形態・第２の例
当該実施形態は請求項３に記載の発明に対応した実施形態の第２の例であり、図７は本例における表示装置の保持装置の説明図である。【００３０】  図７においては、表示装置１０、固定手段１１、フレーム１２、接続ケーブル１３、表示装置用周辺装置１４、回転体１５、自由に回転可能な円柱４０ａおよび４０ｂおよびベアリング４１については図４と同じであり、また電源供給用配線材１６および信号供給用配線材１７については図１と同じであり説明を省略する。
本例では支持機構４２にギアつきモータ７０が装着され、自由に回転可能な円柱４０の中心軸とギアつきモータの回転軸７１が同軸となるように調整されている。
また、ギアつきモータの回転軸の端面近傍に中心軸と直交して開けられた小穴と、自由に回転する円柱４０の端面近傍に中心軸と直交して開けられた開けられた小穴に、コの字状のピン７２が挿入されている。
さらにギアつきモータからはギアつきモータ駆動信号線７３が引き出されている。
ここで、ギアつきモータは特許請求の範囲で述べている電気動力機構の一形態である。【００３１】  このような構成で、ギアつきモータ駆動信号線を通して外部からギアつきモータ駆動信号を与えることにより、ギアつきモータの回転軸７１が回転モーメントを発生し、ピン７２を介して自由に回転可能な円柱４０に回転モーメントを伝達し、また回転体１５は自由に回転可能な円柱に接しているため、回転体１５を回転させるためのモーメント力が発生する。
一方回転体１５に関しては、回転軸周りの重力回転モーメントの総和を可及的に小さくしてあり、回転体１５と自由に回転可能な円柱４０ａおよび４０ｂの間での弾性変形が小さいため、前記回転体１５を回転させるためのモーメント力により、容易に回転することができる。
従って、視聴者は図示しないギアつきモータ駆動信号発生装置を用いて所望の角度を設定するギアつきモータ駆動信号を発生させ、前記駆動信号をギアつきモータ駆動信号線を介してギアつきモータに供給することにより、表示装置を回転軸の周りに回転させ、視聴者の適視位置におくことが可能となる。【００３２】第３の実施形態の効果詳細
このように本発明の第３の実施形態に拠れば、視聴者は直接表示装置もしくはフレームに触れることなく、サーボモータ駆動信号発生装置もしくはギアつきモータ駆動信号発生装置をスイッチや回転型可変抵抗器等で操作することで、表示装置を回転軸の周りに回転させることが可能となり、仰臥ばかりでなく左右どちらの横臥に対しても表示装置を視聴者の適視位置に置くことが可能となる。
なお、サーボモータ駆動信号発生装置もしくはギアつきモータ駆動信号発生装置として、視聴者が視聴者の顔面の水平に対する角度を検出する装置を有し、上記検出した角度に基づいて回転体の角度を制御する駆動信号を発生する装置を用いることにより、視聴者はなんの操作もなく、顔面を向けた方向に表示装置が来るように回転軸を回転させることも可能となる。
この場合、角度の検出装置として市販の２次元の加速度センサーを用いることができる。【００３３】第４の実施形態
当該実施形態は請求項４に記載の発明に対応した実施形態の例であり、図８は本例における表示装置の保持装置の説明図である。【００３４】  図８においては、表示装置１０、固定手段１１、フレーム１２、接続ケーブル１３、表示装置用周辺装置１４および回転体１５、電源供給用配線材１６、信号供給用配線材１７については図１と同じであり、また２本の自由に回転可能な円柱４０ａおよび４０ｂ、ベアリング４１については図４と同じであり、説明を省略する。
本実施形態においては支持機構４２は、スラストベアリング８０を介して支持台８１に接続されており、支持機構が支持台の上で容易に回転可能となっている。
ここでスラストベアリングは、特許請求の範囲で述べている回転機構の一実施形態である。またこのスラストベアリングの回転軸と、回転体の回転軸は直交しているため、第２の実施形態と同様に回転体を回転させて表示装置を視聴者の適視位置に持ってくることが可能であるばかりでなく、支持台を除く表示装置の支持装置と表示装置をスラストベアリングを中心にして水平方向に回転が可能となる。【００３５】第４の実施形態の効果詳細
このように本発明の第４の実施形態に拠れば、視聴者はわずかな力を表示装置もしくはフレームに加えることにより、表示装置を回転軸の周りに回転させることが可能となり、仰臥および左右どちらの横臥に対しても表示装置を視聴者の適視位置に置くことが可能となるばかりでなく、支持機構にわずかな力を加えることにより、支持台以外の表示装置の保持装置および表示装置を水平方向に回転できるため、視聴者が視聴の前後に図９に示すように、表示装置を視聴者の真上に位置しないようにして、仰臥および左右どちらの横臥に入る際もしくは、仰臥および左右どちらの横臥から抜ける際の動作の邪魔にならないようにすることが可能となる。【００３６】第５の実施形態
当該実施形態は第３の実施形態と第４の実施形態を混合したものであり、図１０は本実施形態における表示装置の保持装置の説明図である。【００３７】第５の実施形態の効果詳細
このように本発明の第５の実施形態に拠れば、視聴者は直接表示装置もしくはフレームに触れることなく、サーボモータ駆動信号発生装置もしくはギアつきモータ駆動信号発生装置を操作することにより、表示装置を回転軸の周りに回転させることが可能となり、仰臥および左右どちらの横臥に対しても表示装置を視聴者の適視位置に置くことが可能となるばかりでなく、、視聴者が視聴の前に仰臥もしくは横臥に入るとき、もしくは視聴者が視聴のあと仰臥もしくは横臥から抜けるとき、支持機構にわずかな力を加えることで、表示装置および表示装置の保持装置をその動作を妨げない位置に容易に置くことが可能となる。
【図面の簡単な説明】
【００３８】
【図１】第１の実施形態における表示装置の保持装置の説明図１
【図２】第１の実施形態における表示装置の保持装置の説明図２
【図３】第１の実施形態の他の例における表示装置の保持装置の説明図
【図４】第２の実施形態における表示装置の保持装置の説明図１
【図５】第２の実施形態における表示装置の保持装置の説明図２
【図６】第３の実施形態の第１の例における表示装置の保持装置の説明図
【図７】第３の実施形態の第２の例における表示装置の保持装置の説明図
【図８】第４の実施形態における表示装置の保持装置の説明図１
【図９】第４の実施形態における表示装置の保持装置の説明図２
【図１０】第５の実施形態における表示装置の保持装置の説明図
【符号の説明】
１０・・・表示装置、１１・・・固定手段、１２・・・フレーム、１３・・・接続ケーブル、１４・・・表示装置用周辺装置、１５・・・回転体、１６・・・電源供給用配線材、１７・・・信号供給用配線材、１８・・・穴、１９・・・床面、３０・・・円板もしくは円板の一部、３１・・・穴、３２・・・螺子、３３・・・錘、４０ａ、４０ｂ・・・自由に回転可能な円柱、４１・・・ベアリング、４２・・・支持機構、６０・・・サーボモータ、６１・・・サーボモータの回転軸、６２・・・ピン、６３・・・穴、６４・・・柱部、６５・・・サーボモータ駆動信号線、７０・・・ギアつきモータ、７１・・・ギアつきモータの回転軸、７２・・・ピン、７３・・・ギアつきモータ駆動信号線、８０・・・スラストベアリング、８１・・・支持台、１０１・・・視聴者
【図１】
2005195711.tif 000003
【図２】
2005195711.tif 000004
【図３】
2005195711.tif 000005
【図４】
2005195711.tif 000006
【図５】
2005195711.tif 000007
【図６】
2005195711.tif 000008
【図７】
2005195711.tif 000009
【図８】
2005195711.tif 000010
【図９】
2005195711.tif 000011
【図１０】
2005195711.tif 000012